(57)【特許請求の範囲】
【請求項１】
頂部で開口するボックスと、
着脱自在にボックスに結合されかつボックスの頂部開口を覆うように構成された蓋と、
ボックス内の複数の物品と、
ボックスに結合され、複数の物品を収容する可撓性ライナと、
蓋を可撓性ライナに結合する少なくとも１つのストラップと、
を備える、物品を展開するための空中分配システムであって、
空中分配システムの展開中に、空気抗力が、蓋をボックスから取り除き、複数の物品をボックスから放出するようにボックスの頂部開口を通して可撓性ライナを逆さにする、空中分配システム。
【請求項２】
可撓性ライナに結合されるボックスの分離底部をさらに備え、展開中に、分離底部が、ボックスを通して押し出され、複数の物品をボックスから放出するのを助ける、請求項１に記載の空中分配システム。
【請求項３】
可撓性ライナが、ボックスの上側縁部に沿ってボックスに結合される、請求項１から２のいずれか一項に記載の空中分配システム。
【請求項４】
複数の物品が、空気力学的供給パックである、請求項１から３のいずれか一項に記載の空中分配システム。
【請求項５】
蓋を可撓性ライナに結合する４つのストラップがある、請求項１から４のいずれか一項に記載の空中分配システム。
【請求項６】
各ストラップが、蓋のコーナーおよび可撓性ライナの中央部分に結合される、請求項５に記載の空中分配システム。
【請求項７】
可撓性ライナの中央部分に配置される補強材をさらに備える、請求項６に記載の空中分配システム。
【請求項８】
可撓性ライナを、頂部で開口するボックスに挿入するステップと、
少なくとも１つのストラップを可撓性ライナに結合するステップと、
複数の物品を可撓性ライナに積載するステップと、
少なくとも１つのストラップを蓋に結合するステップと、
ボックスの頂部開口を蓋で覆うステップと、
ボックスを輸送手段に積載するステップと、
輸送手段を展開の場所まで操縦するステップと、
ボックスを輸送手段から放出するステップと、
を含む、貨物を輸送手段から展開する方法であって、展開中に、空気抗力が、蓋をボックスから取り除き、複数の部品をボックスから放出するようにボックスの頂部開口を通して可撓性ライナを逆さにする、方法。
【請求項９】
分離底部をボックスにおよび可撓性ライナに結合するステップをさらに含み、展開中に、分離底部が、ボックスを通して押し出され、複数の物品をボックスから放出するのを助ける、請求項８に記載の方法。
【請求項１０】
可撓性ライナが、ボックスの上側縁部に沿ってボックスに結合される、請求項８または９に記載の方法。
【請求項１１】
複数の物品が、空気力学的供給パックである、請求項８から１０のいずれか一項に記載の方法。
【請求項１２】
蓋を可撓性ライナに結合する４つのストラップがある、請求項８から１１のいずれか一項に記載の方法。
【請求項１３】
各ストラップが、蓋のコーナーおよび可撓性ライナの中央部分に結合される、請求項１２に記載の方法。
【請求項１４】
可撓性ライナの中央部分に配置される補強材をさらに備える、請求項１３に記載の方法。
【請求項１５】
頂部で開口するボックスと、
着脱自在にボックスに結合されかつボックスの頂部開口を覆うように構成された蓋と、
ボックスに結合され、複数の物品を収容する可撓性ライナと、
蓋を可撓性ライナに結合する少なくとも１つのストラップと、
を備える、空中分配コンテナであって、
空中分配システムの展開中に、空気抗力が、蓋をボックスから取り除き、複数の物品をボックスから放出するようにボックスの頂部開口を通して可撓性ライナを逆さにする、空中分配コンテナ。
【請求項１６】
可撓性ライナに結合されるボックスの分離底部をさらに備え、展開中に、分離底部が、ボックスを通して押し出される、請求項１５に記載の空中分配コンテナ。
【請求項１７】
可撓性ライナが、ボックスの上側縁部に沿ってボックスに結合される、請求項１５または１６に記載の空中分配コンテナ。
【請求項１８】
蓋を可撓性ライナに結合する４つのストラップがある、請求項１５から１７のいずれか一項に記載の空中分配コンテナ。
【請求項１９】
各ストラップが、蓋のコーナーおよび可撓性ライナの中央部分に結合される、請求項１８に記載の空中分配コンテナ。
【請求項２０】
可撓性ライナの中央部分に配置される補強材をさらに備える、請求項１９に記載の空中分配コンテナ。
【発明の詳細な説明】
【技術分野】
【０００１】
本出願は、「Ｍｅｔｈｏｄｓ  ａｎｄ  Ｓｙｓｔｅｍｓ  ｆｏｒ  Ｍａｓｓ  Ｄｉｓｔｒｉｂｕｔｉｏｎ  ｏｆ  Ｓｕｐｐｌｙ  Ｐａｃｋｓ」と双方とも題された、２０１４年７月１６日に出願された米国仮特許出願第６２／０２５，２２６号および２０１４年１２月１２日に出願された米国仮特許出願第６２／０９１，１６９号の優先権を主張するものである。その開示全体が、ここに参照により本明細書に組み込まれている。
【０００２】
本発明は、物品の空中展開に関する。より詳細には、本発明は、地上の人々に対する物品の空中分配システムを目的としている。
【背景技術】
【０００３】
数多くの状況が、陸上輸送が実行できないかまたはタイムリーでない、近づき難いまたは遠隔の地域へのさまざまな貨物の輸送および搬送を必要としている。たとえば、人々が遠隔地、厳しい環境、または自然災害によって破壊された地域に閉じ込められまたは障害を負っている場合には、彼らにできるだけ迅速に食料、水、薬、シェルタ、および他の物資を供給することが必要になり、または望ましくなり得る。同様に、戦争行為が起こった時に、戦場は、遠隔地または厳しい環境である場合がある。同じく、立ち往生した人々に燃料などの物資を搬送することが必要であり得る。もちろん、戦時中または他の交戦時に、立ち往生した人々が自分がいることに気付く場所から避難することができるように支援を与えることが不可欠になり得る。
【０００４】
多くの遠隔地または厳しい環境は、砂漠などの地域、またはさもなければ人の住んでいないまたは荒れ果てた土地から成る大きな広々とした区域内である場合がある。場所が遠く離れていることまたはその近づき難いことのため、物資は、飛行機またはヘリコプターからの空中投下によって搬送されることが多い。自然災害および他の緊急事態の場合は、自立物資から切り離されている人々に食物、薬、または他の致命重要物品を搬送するために、時間が最重要点であり得る。たとえば、洪水、地震、および／またはハリケーンの場合には、清潔な給水原から切り離されている人々に水を提供することが不可欠であるかもしれない。
【０００５】
緊急事態においては、必要としている人々に物資を包装し搬送するコストは二次的なものと考えられる場合があるが、それにもかかわらず、適度に費用対効果の高い基準に基づいて形成され分配され得る物資のためのパッケージを提供することが重要である。また、コンテナまたはパッケージによって取られる空間、ならびにコンテナが製作される材料の量およびコストは、それらの費用対効果を高めるように最小限にされるべきである。
【０００６】
従来、救済物資は、コンテナに連結されたパラシュートによって物資のパレットを投下することによって搬送されている。通常、大量の物資が、複数のパレットに積み重ねられ、パラシュートがパレットに連結される。しかしながら、パラシュートは、高価であり、通常、回収できない。そのうえ、パラシュートは、実に大きく、扱いにくい場合がある。パラシュートのサイズは、分配されるべき特定の物資に依存する。パラシュートが普通より小さい場合は、コンテナは、急速な速度で降下し、コンテナは破裂され、その内容物が失われる場合があり、または地上の人々が、急速に降下するコンテナによって傷付けられる場合がある。そのうえ、物資がパレットに一緒に積み重ねされ、パレットの空中投下が不正確な場合は、物資は、必要としている人々によって回収できない場合がある。たとえ物資のパレットが回収可能であっても、強盗またはゲリラが、物資をため込み、必要としている人々からそれらを隠し、または物資の代わりとして金銭を要求することが知られている。
【０００７】
物資の損害および物資を集める人々への損傷のリスクを最小限にして、大勢の人々に容易に空中投下され分配され得る緊急事態物資のための、費用対効果の高いパッケージに対する継続したニーズある。加えて、パッケージを製造するための方法およびシステムに対する継続したニーズがある。
【発明の概要】
【課題を解決するための手段】
【０００８】
本開示によれば、空中分配システムが、驚くべきことに発見されている。
【０００９】
本発明の一実施形態は、物品を展開するための空中分配システムを目的としている。システムは、ボックスと、着脱自在にボックスに結合される蓋と、ボックス内の複数の物品と、ボックスに結合され、複数の物品を収容する可撓性ライナと、蓋を可撓性ライナに結合する少なくとも１つのストラップと、を備える。空中分配システムの展開中に、空気抗力が、蓋をボックスから取り除き、複数の物品をボックスから放出するように可撓性ライナを逆さにする。
【００１０】
好ましくは、システムは、可撓性ライナに結合されるボックスの分離底部をさらに備え、展開中に、分離底部は、ボックスを通して押し出され、複数の物品をボックスから放出するのを助ける。可撓性ライナは、ボックスの上側縁部に沿ってボックスに結合されることが好ましい。好ましくは、複数の物品は、空気力学的供給パックである。好ましい実施形態においては、蓋を可撓性ライナに結合する４つのストラップがある。各ストラップは、蓋のコーナーおよび可撓性ライナの中央部分に結合されることが好ましい。システムは、可撓性ライナの中央部分に配置される補強材をさらに備えることが好ましい。
【００１１】
本発明のもう１つの実施形態は、輸送手段から貨物を展開する方法を目的としている。方法は、可撓性ライナをボックスに挿入するステップと、少なくとも１つのストラップを可撓性ライナに結合するステップと、複数の物品を可撓性ライナに積載するステップと、少なくとも１つのストラップを蓋に結合するステップと、ボックスを蓋で覆うステップと、ボックスを輸送手段に積載するステップと、輸送手段を展開の場所まで操縦するステップと、ボックスを輸送手段から放出するステップと、を含み、展開中に、空気抗力が、蓋をボックスから取り除き、複数の物品をボックスから放出するように可撓性ライナを逆さにする。
【００１２】
好ましくは、方法は、分離底部をボックスにおよび可撓性ライナに結合するステップをさらに含み、展開中に、分離底部は、ボックスを通して押し出され、複数の物品をボックスから放出するのを助ける。
【００１３】
可撓性ライナは、ボックスの上側縁部に沿ってボックスに結合されることが好ましい。好ましくは、複数の物品は、空気力学的供給パックである。蓋を可撓性ライナに結合する４つのストラップがあることが好ましい。各ストラップは、蓋のコーナーおよび可撓性ライナの中央部分に結合されることが好ましい。好ましい実施形態においては、可撓性ライナの中央部分に配置される補強材をさらに備える。
【００１４】
本発明のもう１つの実施形態は、空中分配コンテナを目的としている。コンテナは、ボックスと、着脱自在にボックスに結合される蓋と、ボックスに結合される可撓性ライナと、蓋を可撓性ライナに結合する少なくとも１つのストラップと、を備える。空中分配システムの展開中に、空気抗力が、蓋をボックスから取り除き、可撓性ライナを逆さにする。
【００１５】
好ましくは、コンテナは、可撓性ライナに結合されるボックスの分離底部をさらに備え、展開中に、分離底部が、ボックスを通して押し出される。
【００１６】
可撓性ライナは、ボックスの上側縁部に沿ってボックスに結合されることが好ましい。好ましくは、蓋を可撓性ライナに結合する４つのストラップがある。各ストラップは、蓋のコーナーおよび可撓性ライナの中央部分に結合されることが好ましい。好ましくは、コンテナは、可撓性ライナの中央部分に配置される補強材をさらに備える。
【００１７】
本発明の他の実施形態および利点は、後に続く説明において一部は記述され、一部は、この説明から明らかとなることができ、または本発明の実施から学ばれ得る。
【図面の簡単な説明】
【００１８】
【図１】本開示の１つの実施形態による非常用パックの上面斜視図であり、非常用パックが形成された姿勢で示されている図である。
【図２】図１に示される非常用パックの下面斜視図であり、非常用パックが形成された姿勢で示されている図である。
【図３】図１から図２に示される非常用パックの上面斜視図であり、非常用パックが飛行姿勢で示されている図である。
【図４】図１から図３に示される非常用パックの下面斜視図であり、非常用パックが飛行姿勢で示されている図である。
【図５】図３の断面斜線Ａ−Ａで取った非常用パックの横断面正面立面図である。
【図６】図５の引出し部Ｂで取った非常用パックの部分拡大横断面正面立面図であり、非常用パックの内部パッケージをさらに示す図である。
【図７】図５の引出し部Ｃで取った非常用パックの部分拡大横断面正面立面図であり、非常用パックの翼をさらに示す図である。
【図８】図５の引出し部Ｄで取った非常用パックの部分拡大横断面正面立面図であり、非常用パックの外部パッケージの剛性インサートをさらに示す図である。
【図９】図４の断面斜線Ｅ−Ｅで取った非常用パックの横断面側立面図であり、本開示の１つの実施形態による非常用パックの外部パッケージと連結される非常用パックの内部パッケージをさらに示し、内部パッケージは液体材料をその中に配置して示される図である。
【図１０】図４の断面斜線Ｅ−Ｅで取った非常用パックの横断面側立面図であり、示される非常用パックの内部パッケージは固形材料から成る図である。
【図１１】非常用パックを製造するためのシステムの側面斜視図である。
【図１２】図１１の引出し部１２によって識別されるシステムの拡大部分側面斜視図であり、システムの製品搭載ユニットをさらに示す図である。
【図１３】図１１の引出し部１３によって識別されるシステムの拡大部分側面斜視図であり、システムの長手方向のミッドパックおよび縁部封止ユニットならびに横ヒートシールユニットをさらに示す図である。
【図１４】図１１の引出し部１４によって識別されるシステムの拡大部分側面斜視図であり、穿孔器ユニットの穿孔ローラおよびアンビルローラを示すように外部カバーを取り除いた、システムの穿孔器ユニットをさらに示す図である。
【図１５】図１１の引出し部１５によって識別されるシステムの拡大部分側面斜視図であり、システムの翼折り畳みユニットをさらに示し、非常用パックが翼折り畳みユニットのガイド板を示すように翼折り畳みユニットから取り除かれた図である。
【図１６】図１１の引出し部１６によって識別されるシステムの拡大部分側面斜視図であり、システムの翼バンド封止ユニットをさらに示す図である。
【図１７】図１１の引出し部１７によって識別されるシステムの拡大部分側面斜視図であり、パッケージセパレータユニットの断裁機を示すように外部カバーを取り除いた、システムのパッケージセパレータユニットをさらに示す図である。
【図１８】尾部を有するパックの一実施形態の図である。
【図１９】通気スリットを有するパックの実施形態の図である。
【図２０】スカラップ状縁部を有するパックの一実施形態の図である。
【図２１】翼に孔を有するパックの一実施形態の図である。
【図２２】補強説明インサートシートを有するパックの一実施形態の図である。
【図２３】均一に分布されるペイロードを有するパックの一実施形態の図である。
【図２４】ハンドルを作り出すためのミシン目を有するパックの一実施形態の図である。
【図２５】翼の形成を示す図である。
【図２６】空気抜きを有するパックの実施形態を示す図である。
【図２７】空気抜きを有するパックの実施形態を示す図である。
【図２８】空気抜きを有するパックの実施形態を示す図である。
【図２９ａ】保管および展開コンテナの一実施形態の図である。
【図２９ｂ】保管および展開コンテナの一実施形態の図である。
【図３０ａ】キャノピーを持つ保管および展開コンテナの一実施形態を示す図である。
【図３０ｂ】キャノピーを持つ保管および展開コンテナの一実施形態を示す図である。
【図３０ｃ】キャノピーを持つ保管および展開コンテナの一実施形態を示す図である。
【図３１ａ】底面に千鳥状スロットを持つ保管および展開コンテナの一実施形態を示す図である。
【図３１ｂ】底面に千鳥状スロットを持つ保管および展開コンテナの一実施形態を示す図である。
【図３１ｃ】底面に千鳥状スロットを持つ保管および展開コンテナの一実施形態を示す図である。
【図３１ｄ】底面に千鳥状スロットを持つ保管および展開コンテナの一実施形態を示す図である。
【図３２ａ】上面がシュートに開口している保管および展開コンテナの一実施形態を示す図である。
【図３２ｂ】上面がシュートに開口している保管および展開コンテナの一実施形態を示す図である。
【図３３】展開ホッパーの一実施形態を示す図である。
【図３４ａ】展開カートの一実施形態を示す図である。
【図３４ｂ】展開カートの一実施形態を示す図である。
【図３４ｃ】展開カートの一実施形態を示す図である。
【図３５ａ】偏向装置の一実施形態を示す図である。
【図３５ｂ】偏向装置の一実施形態を示す図である。
【図３６ａ】分配装置の一実施形態を示す図である。
【図３６ｂ】分配装置の一実施形態を示す図である。
【図３７】分配装置のもう１つの実施形態を示す図である。
【図３８】コンテナの仕切りの一実施形態を示す図である。
【図３９ａ】保管および展開バッグの一実施形態を示す図である。
【図３９ｂ】保管および展開バッグの一実施形態を示す図である。
【図３９ｃ】保管および展開バッグの一実施形態を示す図である。
【図４０ａ】ゲイロードボックスの一実施形態を示す図である。
【図４０ｂ】ゲイロードボックスの一実施形態を示す図である。
【図４０ｃ】ゲイロードボックスの一実施形態を示す図である。
【図４１】ゲイロードボックスのもう１つの実施形態を示す図である。
【図４２】展開システムの一実施形態を示す図である。
【図４３ａ】保管および展開コンテナのもう１つの実施形態を示す図である。
【図４３ｂ】保管および展開コンテナのもう１つの実施形態を示す図である。
【図４３ｃ】保管および展開コンテナのもう１つの実施形態を示す図である。
【図４３ｄ】保管および展開コンテナのもう１つの実施形態を示す図である。
【図４３ｅ】保管および展開コンテナのもう１つの実施形態を示す図である。
【図４３ｆ】保管および展開コンテナのもう１つの実施形態を示す図である。
【図４４ａ】パレットの一実施形態を示す図である。
【図４４ｂ】パレットの一実施形態を示す図である。
【図４５】荷を積んだゲイロードボックスの分解図の一実施形態を示す図である。
【図４６】パレットに結合されたゲイロードボックスの一実施形態の底面を示す図である。
【図４７】展開後のゲイロードボックスの経過の一実施形態を示す図である。
【図４８ａ】フックおよびループストラップを持つボックスの実施形態を示す図である。
【図４８ｂ】フックおよびループストラップを持つボックスの実施形態を示す図である。
【図４８ｃ】フックおよびループストラップを持つボックスの実施形態を示す図である。
【図４８ｄ】フックおよびループストラップを持つボックスの実施形態を示す図である。
【図４９ａ】ボックスの降下を減速させるのに使用される蓋を持つボックスの一実施形態を示す図である。
【図４９ｂ】ボックスの降下を減速させるのに使用される蓋を持つボックスの一実施形態を示す図である。
【図５０ａ】展開装置の一実施形態を示す図である。
【図５０ｂ】展開装置の一実施形態を示す図である。
【図５０ｃ】展開装置の一実施形態を示す図である。
【図５０ｄ】展開装置の一実施形態を示す図である。
【図５０ｅ】展開装置の一実施形態を示す図である。
【図５０ｆ】展開装置の一実施形態を示す図である。
【発明を実施するための形態】
【００１９】
物資を緊急事態下で全住民に供給することは、極めて危険な仕事である。通常、輸送インフラは、たとえば、自然災害あるいは政治的または社会的大変動によって破壊されている。道路が破壊され、かつ／またはアクセスポイントが閉鎖されるので、救援物資を災害地域にトラックで運ぶことは、困難であるかまたは不可能であることが多い。加えて、救援隊自身が、環境的問題（たとえば、洪水、土砂崩れ、地震、放射能）または地上での危険な軍隊的行動から生じ得る危険状態に置かれる。航空輸送によって物資を供給することは、災害時に唯一の実行可能な選択肢であることが多いが、依然として多くの問題がある。物資が大量に提供されるので、そのプロセスは、通常、物資自体に対する損傷、地上の構造物に対する損傷、ならびに人間および動物に対する被害を回避するように、正確な標的設定および地上の人々との調整を必要とする。トラック、船、または航空機によって搬送されるかどうかを問わず、物資は、地域の政治的または軍事的優位を確立することを望む政府または人によって盗まれまたは押収されることが多い。結果として、搬送のコストが高くなり、実際の救助を行う有効性は最小になる。
【００２０】
必要としている人々への物資の受取りを完全に最大限にしながら、地上の構造物に対する、物資自体に対する損傷のリスクを最小限にして、かつ地上の人々および動物に対する被害について最小限のリスクで、物資の費用対効果の高いパックが大勢の人々に分配するために製造され、空中投下され得ることが、驚くべきことに発見されている。トラック、船、または航空輸送による大量搬送などの、従来の搬送方法は、通常、搬送される量を最大限にするが、本明細書において説明される本発明は、パックが大きな所定の地域にわたって均一にランダムに分配されるように航空輸送によって多数の低重量パックを搬送することを目的としている。多数のパックをある領域にわたって搬送することにより、すべての物資が所期の受取人でない個人によって盗まれたりまたは別の形で隔離されたりすることが困難になり、または不可能になる。これは、搬送がトラック、船、または航空輸送によるかどうかを問わず、物資が大量に搬送される場合に引き起こされ得るブラックマーケットの可能性を効果的になくし、目標となる人々によって受け取られる物資の量を最大限にする。
【００２１】
好ましくは、各パックは、単一の搬送ユニットとして構成され、パックは大量で搬送され、したがって、所期の被害者に達しないかまたは別の形で盗まれる物資のリスクが最小限にされる。したがって、本発明の態様として、多数のパックの迅速な構築および組立てがある。単一のステーション、および半自動化製造装置が、１日当り数千から数万ものパックを製造するように構成される。パックは、たとえば、食物、水、または薬などの物資の１つまたはごく少数の配給を収容することが好ましい。供給は短時間の間続くが、コストが最小限にされるため、搬送は、何回も、および困っている人々に対する最小限のリスクで繰り返され得る。重要なことに、パックが航空輸送によって搬送されるので、救援隊は、災害地域自体に決して入るには及ばない。また、パックの空気力学的構成要素に応じて、分配は、ほとんど任意の高度からであってもよく、さらに、救援隊を危険状態から安全に保つ。
【００２２】
パックは、さらに盗みのリスクを最小限にしかつ／またはそれ自体限定されるかまたは小さい目標地域に到達するように、広域にわたって分配されまたは散布され、あるいは正確なまたは限定された場所に対して標的付けられることができる。範囲は、トラック、航空輸送、または船によるパレット分配と比べて、必要としている個人への分配を最大限にするように予め決められることが好ましい。
【００２３】
パックは、重力によって生じる加速度を低減するかまたは除去する空気力学的構成要素を持つように構成される。パックの重量は大量の物資に比べて小さいので、空気力学的構成要素は、相応じて最小限にされる。パック自体は、パックが地上に落下する速度が自由落下に比べて最小限にされるように、空気力学的に設計されることが好ましい。パックは、構造物、地上の他のもの、またはパック自体の内容物に対する損傷について皆無かそれに近いリスク、および人間または動物への（すなわち、降下中に人間または動物に降りるパックからの）被害について皆無かそれに近いリスクを引き起こす速度で地上に衝突することが好ましい。度合および速度は、１つまたは複数の抗力および／または揚力要素を導入することによってパック自体の空気力学的構成要素によって正確に制御される。抗力は、揚力、または部品の構造の結果としての寄生振動から引き起こされ得る。付加され得る空気力学的構成要素には、１つまたは複数の翼、フィン、テール構造、プロペラまたは回転ブレード、エーロフォイル、帆またはパラセール、ストリーマー、トンネル、ディンプル、ベントスリット、スカラップドエッジ、鋸歯状エッジ、およびパラシュートがあるが、これに限定されるものではない。好ましくは、翼またはエーロフォイルは、パック搬送を限定された地域に集中させるように降下する際にパックに旋回または振動を余儀なくさせるように構成されることが好ましい。天候が依然として不確定であり得るが、予め知られているかまたは予測されている場合に、特定の空気力学的構成要素は、パックの軌跡を調整し、その結果降下中の空からのパックの予期される横断方向移動の主要因であるように当業者によって構成され得る。また、パック分配は、さまざまな土地に対して、およびさまざまな天候において散布の分配パターンを描くように、レーダー（たとえば、ドップラー）または各パック内の追跡デバイス（たとえば、ＧＰＳ）によって監視され得る。それらのパターンは、最適分配を決定し、または再分配が必要であるかどうかを決定するように使用され得る。設計形態は、たとえば、所定の位置に固定され得る補助翼およびラダー構造、所定の形状または迎角に設定された翼および／または前縁、パック自体の物資の非対称な積載、および／またはそれらの組み合わせを含むことができる。
【００２４】
あるいは、パックおよびまた複数のパックを収容するボックスは、たとえば、炭素繊維、および／または単層、二層、および／または多層カーボンナノチューブを含むカーボンナノチューブなどのレーダー吸収材料によってパックおよび／またはボックス壁を被覆することによってレーダーに対して透明にされ、または不可視にされ得る。また、壁は、低いレーダープロファイルを持つパックおよび／またはボックスを提供するようにある角度に折り曲げられ得る。また、パックおよび／またはボックスは、地上から不可視にし、または少なくともそれが降下の際に空中に見つけ、追跡することを困難にするように色によってカムフラージュされ得る。好ましい色は、伝統的なカムフラージュパターン、または無色、または空色、雪白、灰色、褐色、緑色、砂色、暗青色、および黒色のパターンを含む。また、パックおよび／またはボックスは、選択された色が、見上げた場合にパックを十分に不可視し、たとえば空色の底および黒色の頂部を持つボックスを使用することによるなどの地上で見上げた場合に見るのを困難にするように、区別をして着色され得る。
【００２５】
好ましくは、空気力学的構成要素を含むパックは、製造コストを最小限にするように単一ユニットとして製造される。また好ましい供給物品が、やはり製造コストを最小限にするように、製造プロセス中にパックに挿入される。
【００２６】
具体化され、広く説明されたように、本明細書における開示は、本発明の詳細な実施形態を提供している。しかしながら、開示された実施形態は、さまざまなおよび代替的な形態で具体化される本発明の単に例示に過ぎない。したがって、特定の構造上および機能上の細部が限定的であるべきであるという意図はなく、むしろ、本発明は、それらが、本発明をさまざまに用いるように当業者を教示するための代表的な基礎として役立つことである。
【００２７】
図１から図１０は、空中搬送のための物品１１を持つパック１０を示している。パック１０は、内部パッケージ１２および外部パッケージ１４を含む。内部パッケージ１２は、たとえば、外部パッケージ１４の実質的に中央長手方向に延在する軸線に沿って配置され得る。内部パッケージ１２は、空中搬送のための物品１１であるか、または空中搬送のための物品１１を収容する。たとえば、物品１１は、内部パッケージ１２に配置される蚊帳または水であってもよい。示された実施形態においては、パック１０の内部パッケージ１２および外部パッケージ１４の各々は、平面視で四辺形形状を有する。内部パッケージ１２および他のパッケージ１４は、要望通り、円形、卵形、三角形、非対称形状等などの平面視で他の形状を有することができることを理解されたい。同様に、パック１０の外形寸法は、搬送のための物品１１を含む、内部パッケージ１２の内容物のサイズおよび重量をはじめとする、いくつかの要因に依存するであろう。好ましい実施形態においては、外部パッケージの寸法は、３００ｍｍ×１５０ｍｍ、３５０ｍｍ×２００ｍｍ、４００ｍｍ×３００ｍｍ、４５０ｍｍ×２００ｍｍ、または別のサイズである。サイズ対重量の比は、パック１０の空力特性を変化させるように要求に応じ調整され得る。
【００２８】
外部パッケージ１４は、たとえば、ポリエチレンなどの、ポリマー材料から形成され得る。ある実施形態においては、外部パッケージ１４は、たとえば、ポリビニルアルコール（ＰＶＡ）、ポリエチレン（ＰＥ）、ポリプロピレン（ＰＰ）、またはポリスチレン（ＰＳ）などの生物分解性材料から形成される。プラスチックボックスは、押出製造、ならびに湿気および他の物質に対するバリアを提供する、たとえば防水にされるプラスチック材料を溶融させるように熱によるボックスの封止を可能にする利点を有する。好ましい実施形態においては、外部パッケージ１４は、メッシュ素材から形成され得る。好ましい実施形態においては、外部パッケージ１４は、高性能バリアプラスチックから形成される。たとえば、高性能バリアプラスチックは、酸素または二酸化炭素捕捉剤もしくはバリアであることができる。加えて、外部パッケージ１４は、非常に多くの層で作られ、かつ／または強度を与えるように波形にされ得る。たとえば、外部パッケージ１４は、ポリエチレンの内層および外層、ならびにリップストップナイロンの中間層を有することができる。好ましい実施形態においては、外部パッケージ１４は、低摩擦コーティング（たとえば、潤滑剤、タルカムパウダー、テフロン（登録商標）、油、またはグラファイト）で被覆され得る。そのうえ、層、ヒートシールを促進する層および光学的透明度もしくは不透明さを提供する層の間で粘着性がある場合がある。そのうえ、外部パッケージ１４の厚さは、パック１０の所望の属性に応じて変えることができる。熟練した職人は、要望通り、外部パッケージ１４のための適切な材料および層の数を選択し得る。
【００２９】
内部パッケージ１２は、外部パッケージ１４の内部に配置される。内部パッケージ１２が物品１１を収容する場合は、内部パッケージ１２の内容物は、内部パッケージ１２を形成するのに使用される特定の材料を規定し得る。たとえば、内部パッケージ１２を形成する材料は、内部パッケージ１２によって収容される物品１１の所望の貯蔵寿命および保管時間によって規定され得る。好ましい実施形態においては、内部パッケージ１２は、たとえば、ＰＥ、ＰＶＡ、ＰＳ、および／またはＰＰなどのポリマー材料から形成される。内部パッケージ１２は、代替的に、包装産業で知られている任意の従来の材料、実施例として、厚紙、金属、プラスチック、織物または上記のもの組み合わせなどの材料から形成され得る。そのうえ、内部パッケージ１２は、緩衝材で作られるかまたはそれを含むことができる。たとえば、内部パッケージ１２は、気泡シートまたは発泡体から形成され得る。
【００３０】
非限定的な実施例として、内部パッケージ１２は、蚊帳、毛布、工具、照明装置、バッテリー、テントまたは他のシェルタ、レインスーツまたは他の衣類および足保護具、トイレットペーパー、クリーニングワイプス、弾薬、歯科衛生用品、輸送手段または機器修理に要求される部品、狩猟および釣り具、浄水ピル、水から汚染物質を除去する濾過された飲料ストロー、通信および／またはナビゲーション装置、熱を発生させるように化学的に活性化されたものなどの加熱装置、および、自然災害または戦争の被害者に供給されるビデオおよびペーパー情報説明書などの、非生鮮物品１１を収容するかまたは非生鮮物品１１であり得る。また、他のタイプの非生鮮物品１１は、本開示の範囲の範囲内で内部パッケージ１２によって収容され得る。
【００３１】
内部パッケージ１２の内容物が非生鮮物である場合は、内部パッケージ１２は、特に、ポリビニルアルコール（ＰＶＡ）などの生物分解性材料から、たとえば、または穿孔された材料から形成され得る。そのうえ、内部パッケージ１２は、その中に収容される物品１１の各端部におよび外部パッケージ１４に結合される１つまたは複数のタブを含むことができる。タブは、たとえば、外部パッケージ１４から内部パッケージ１２の取り外しを容易にする。
【００３２】
また、内部パッケージ１２は、食物物品１１の搬送に使用され得る。たとえば、内部パッケージ１２は、実質的に流体および／または光および／または空気不透過性材料を必要とする食物または液体を収容することができる。内部パッケージ１２の内容物が薬剤などの温度または光感受性の、あるいは火起こしキット、火起こし用のマグネシウムブロック、または燃料などの可燃性の高い場合は、内部パッケージ１２は、断熱材料、たとえば金属または複合箔から形成され得る。また、内部パッケージ１２は、所望の温度に内部パッケージ１２の内容物を維持するように、加熱または冷却物質あるいは装置を含むことができる。加熱または冷却物質あるいは装置は、単に内部パッケージ１２のみならず外部パッケージ１４によっても収容され得る。内部パッケージ１２の医薬内容物は、インスリン、破傷風ワクチン接種、デング熱ワクチン接種、マラリアワクチン接種、抗生物質等を含むことができる。また、他のタイプの食物物品１１は、要望通り、内部パッケージ１２によって収容され得る。
【００３３】
外部パッケージ１４および内部パッケージ１２は、要望通り、同じ材料からまたは異なる材料から形成され得る。熟練した職人は、要望通り、内部パッケージ１２および外部パッケージ１４のための適切な材料を選択し得る。
【００３４】
図１から図１０を新たに参照して、外部パッケージ１４は、一緒に接合される対向面を有する一対の重ね合わせシート１６、１８から形成される。シート１６、１８の上縁は、パック１０の上縁シール２０を形成するように一緒に封止される。同様に、シート１６、１８の底縁は、パック１０の底縁シール２２を形成するように一緒に封止される。シート１６の側縁は、パック１０の一対の対向する側縁シール２４、２６を形成するようにシート１８の対応する側縁に封止される。内部パッケージ１２に隣接するシート１６、１８の対向面は、パック１０のミッドパックシール２８、３０を形成するように一緒に封止される。上縁シール２０、底縁シール２２、およびミッドパックシール２８、３０は、たとえば、図６に示されるように、外部パッケージ１４内に内部パッケージ１２を閉じ込める。
【００３５】
外部パッケージ１４は、少なくとも１つの空気力学的構成要素３２、３４を含む。空気力学的構成要素３２、３４は、使用中にパック１０の自由落下の間に抗力を生じ、それによってパック１０の降下が減速されることが好ましい。加えて、空気力学的構成要素３２、３４は、揚力、方向制御、推力、または重さなどの空力および安定特性を与え得る。図１から図１０に示される実施形態においては、少なくとも１つの空気力学的構成要素３２、３４は、パック１０の側縁シール２４、２６とミッドパックシール２８、３０との間に形成される一対のフランジまたは翼３２、３４を含む。翼３２、３４は、たとえば、図５および図７に示されるように、シート１６、１８の対応する側縁を折り畳むこと、および翼シール３６、３８を形成するように折り返された縁部を封止することによって形成される。翼シール３６、３８を形成するように折り曲げられた縁部を封止する結果として、翼３２、３４は、通常、パック１０の長手方向軸線に沿って内側に閉じられ、延在する。翼３２、３４は、図１から図２に示されるように通常、パック１０に閉じられているが、パック１０が空から投下される際に図３から図４に示されるように広がる。２つの翼３２、３４が示されているが、任意の数の翼が使用され得る。図は、翼３２、３４を形成する段階を示している。パック１０は、インフィード２０５において翼形成機構に供給され、翼の第１の部分が、形成領域２１０で形成され、翼の第２の部分が、形成領域２１５で形成され、翼の第３の部分が、形成領域２２０で形成され、翼の第４の部分が、形成領域２２５で形成され、翼の第５の部分が、形成領域２３０で形成され、翼の縁部が、縁部シーリング２３５で封止され、パック１０は、屈曲領域２４０に入り、そこで翼は曲げ開き２４５、最後に、パック１０は、梱包出荷領域２５０に送られる。個々のパックは、裁断機タイプの切断装置を介して製造されている接合されたパッケージから分離され、次いでその後、梱包出荷領域に送られる。
【００３６】
少なくとも１つの空気力学的構成要素３２、３４は、外部パッケージ１４の全域で層流とは対照的に乱流を生じ、動作時にパック１０の降下速度を低減し得ることが有利である。パック１０の速度は、自由落下から、たとえば、毎秒２０メートル、毎秒１５メートル、毎秒１０メートル、毎秒８メートル、または毎秒５メートルまで低下されることが好ましい。パック１０の地上との衝撃は、自由落下中の地上とのパックの衝撃から、たとえば、９０％、７５％、６０％、５０％、または別のパーセンテージだけ低減されることが好ましい。図１から図１０に示される実施形態は、少なくとも１つの空気力学的構成要素３２、３４として翼３２、３４を含むが、当業者は、少なくとも１つの空気力学的構成要素３２、３４は、代替的にテール、フィン、エーロフォイル、パラセール、パラシュート、回転ブレード、ストリーマー、またはテール（図１８を参照されたい）、あるいは、パック１０が空から投下される場合に抗力を生じるのに適応している他の構造物を含むことを理解されたい。他のタイプの構造物の非限定的な実施例として、トンネル、ディンプル、ベントスリット（図１９を参照されたい）、スカラップドまたは鋸歯状エッジ（図２０を参照されたい）、または外部パッケージ１４に形にされる孔が、乱流を生じるのに使用され得る。パック１０のための適切な空気力学的構成要素３２、３４は、要望通り選択され得る。そのうえ、空気力学的要素の組み合わせが使用され得る。たとえば、図２１に示されるように、孔が、投下速度および／または飛行特徴をさらに制御するように翼３２、３４に打ち明けられ得る。
【００３７】
図２６、図２７、および図２８は、パック１０の追加の実施形態を示している。図２６、図２７、および図２８に示される実施形態は、空気抜き２６１０、２７１０、および２８１０を含む。空気抜き２６１０、２７１０、および２８１０は、パック１０を横切る空気の一部が、パック１０が降下するにつれてその代わりとしてパック１０を通過できるようになっていることが好ましい。この種の空気流は、パックが展開中に互いから分離する能力を増大し、パックの空気力学を変化させる。空気抜き２６１０、２７１０、および２８１０は、パック１０の端部に、パック１０の側部に、パック１０の中間に、または別の場所に配置され得る。そのうえ、複数の空気抜き２６１０、２７１０、および２８１０、ならびにパック１０を通る空気抜き２６１０、２７１０、および２８１０の組み合わせがあり得る。空気抜き２６１０、２７１０、および２８１０のための開口の各々は、パック１０の上面の少なくとも１つの部分、およびパック１０の下面の１つの部分を貫通する。パック１０の上面および下面の開口は、直線に並び、または互いから離れていることができ、それによって、１つの開口を通るパック１０の中への空気を可能にし、空気が別の開口を通してパック１０を出て行くことができるようになる。
【００３８】
空気抜き２６１０は、メッシュスクリーンまたは空気透過性材料から成ることが好ましい。空気抜き２６１０は、形状が正方形として示されているが、空気抜き２６１０は、別の形状（たとえば、長方形、卵形、円形、または三角形）を有することができる。空気抜き２７１０は、パック１０の本体からの切抜きであることが好ましい。空気抜き２７１０は、形状が卵形として示されているが、空気抜き２６１０は、別の形状（たとえば、長方形、正方形、円形、または三角形）を有することができる。空気抜き２８１０は、空気抜き２８１０の周に結合されるフラップ２８１５を持つパック１０の本体からの切抜きであることが好ましい。フラップ２８１５は、パック１０の本体として同じ材料から成ることが好ましいが、フラップ２８１５は、別の材料から成ってもよい。好ましい実施形態においては、フラップ２８１５は、「Ｘ」をパック１０の本体に切り込むことによって作り出されるが、フラップ２８１５は、（たとえば、接着剤あるいは融合によって）パック１０に取り付けられ、またはパック１０に結合され得る。空気抜き２８１０は、形状が正方形として示されているが、空気抜き２８１０は、別の形状（たとえば、長方形、卵形、円形、または三角形）を有することができる。
【００３９】
ある実施形態においては、空気力学的構成要素３２、３４は、パック１０の飛行経路を制御する。たとえば、翼は、パック１０に、螺旋降下、ジグザグ降下、または着陸している飛行機に類似した降下に従うことを余儀なくさせるように形成され得る。この種の制御された降下は、所望の場所にパック１０を搬送する精度を向上させる。
【００４０】
ある実施形態においては、外部パッケージ１４は、パック１０の折り曲げを妨げるのに適応している実質的に剛い材料から形成される。図５および図８を参照して、外部パッケージ１４はまた、外部パッケージ１４に構造支持を可能にするのに適応している少なくとも１つの剛性インサート４０、４２を含み、動作時にパック１０の望ましくない折り曲げを妨げることができる。たとえば、剛性インサート４０、４２は、外部パッケージ１４のミッドパックシール２８、３０と翼シール３６、３８との間に封止され、配置される細長い部材であることができる。剛性インサート４０、４２は、外部パッケージ１４内で横に向けられるリブ、またはたとえば、外部パッケージ内で長手方向に向けられる支持体を含むことができる。また、剛性インサート４０、４２は、上縁シール２０および底縁シール２２の形成中に外部パッケージ１４に結合され得る。インサート４０、４２は、要望通り、上縁シール２０および底縁シール２２に結合され得ることが理解される。また、インサート４０、４２は、内部パッケージ１２に隣接して配置され、または外部パッケージ１４の外部に結合され得る。好ましい実施形態においては、剛性インサート４０、４２は、パック１０の内容物のユーザのための剛いまたは折り畳まれたペーパー情報使用説明書を含むことができる（図２２を参照されたい）。他の実施形態においては、剛性インサート４０、４２は、外部パッケージ１４の折り曲げを妨げるのに十分な剛性を有する厚紙またはプラスチックインサートである。当業者は、要望通り所望の可撓性を維持すると共に、インサート４０、４２のための適切に剛い材料を選択することができる。また、外部パッケージ１４は、エンボス加工された面、真空密封部分、加圧されたチャンバおよび／またはパック１０の剛性を調整するようにガス（たとえば、ヘリウム、水素、または空気）で充填されるチャンバを有することができる。
【００４１】
上に確立されたように、内部パッケージ１２は、空中搬送のための物品１１であるか、または空中搬送のための物品１１を収容する。図９に示されるように、内部パッケージ１２が搬送のための物品１１、たとえば、水を収容する場合は、内部パッケージ１２は、外部パッケージ１４と結合され得る。特に、内部パッケージ１２の上縁４４および底縁４６は、それぞれ頂部横シール４８および底部横シール５０を持つシート１６、１８の間に封止され得る。図１０に示されるように、内部パッケージ１２が空中搬送のための物品１１である場合は、内部パッケージは、外部パッケージ１４のシート１６、１８の間に緩く配置され得る。個々に、または複数の内部パッケージ１２内に包装される複数の物品１１はまた、パック１０の外部パッケージ１４内に実質的に均一に分布され得る。内部パッケージ１２はまた、バランスのとれた重量分布を提供し、空からのパック１０の搬送を容易にするために、外部パッケージ１４の長さに沿って実質的に均一に分布され得ることもまた理解されたい（図２３を参照されたい）。パック１０の外部パッケージ１４内に内部パッケージ１２を配置するための他の手段、および任意の数の物品１１が、要望通り使用され得る。そのうえ、２つ以上の内部パッケージ１２が、外部パッケージ１４全体にわたって配置され得る。内部パッケージは、外部パッケージ１４全体にわたって重さを均一に分布するように均一に配置されることが好ましい。好ましい実施形態においては、物品１１は、内部パッケージ１２内で自由に移動できるようになっている。好ましい実施形態においては、パック１０は、１００グラム、２００グラム、３００グラム、４００グラム、７５０グラム、１キログラム、２キログラム、または別の量の物品１１を保持する。物品１１のサイズ、可撓性、空気力学的要素（複数の空気力学的要素）、材料、配置は、物品１１の重さおよび内容物に応じて完全に調整され得る。そのうえ、物品１１は、パック１０が正の静的安定性、中立の静的安定性、または負の静的安定性を有するように配置され得る。
【００４２】
パック１０の内容物は、物品１１の単一のサービングまたは配給であることが好ましい。たとえば、内容物は、水の単一のサービング、単一の栄養バー、第１の救命キット、または衛生キットであってもよい。パック１０が物品１１の単一のサービングを保持する実施形態においては、パックが投下区域の全域で均一にランダムに分配されることになるので、パック１０の分配は、空中投下の間に達成される。
【００４３】
本開示のさまざまなシール２０、２２、２４、２６、２８、３０、３６、３８、４８、５０は、たとえば、接着剤または化学溶媒の使用によるなどの化学シール作業によって、あるいは要望通り、熱溶着作業によって形成され得ることが理解される。特に例示的な実施形態においては、さまざまなシール２０、２２、２４、２６、２８、３０、３６、３８、４８、５０が、ヒートシール作業によって形成される。また、さまざまなシール２０、２２、２４、２６、２８、３０、３６、３８、４８、５０を形成するための代替的手段が、要望通り使われ得る。
【００４４】
本開示のパック１０は、パック１０の開口を容易にするようにミシン目５２をさらに含むことができる。ミシン目５２は、いたずらを防止するようになっているまたは中身にいたずらをされると直ぐ分る方式のミシン目５２であることができる。ミシン目５２は、同じシールがパック１０のエンドユーザによって空中搬送のための内部パッケージ１２および物品１１にアクセスできるように開かれ得るために、非常用パックの縁部から内側に延在し、上縁シール２０、底縁シール２２、頂部横シール４８、および底部横シール５０のうちの少なくとも１つを横切ることができる。加えて、図２４に示されるように、ミシン目は、運搬用ハンドルを持つポーチを形成するように加えられ得る。
【００４５】
本明細書において確立されたように、外部パッケージ１４は、内部パッケージ１２を収容するように適応される。また、外部パッケージ１４は、特に夜間に、パック１０の目に見える場所を容易にするように、たとえば、点滅ＬＥＤ、グローフィルム、または反射デバイスなどの照明装置を収容することができる。照明装置は、たとえば、時間、温度、圧力、または衝撃によって活性化され得る。あるいは、外部パッケージ１４は、レーダー反射材料またはレーダー消失コーティングから形成され得る。ある実施形態においては、外部パッケージ１４は、光によって活性化される物質から形成されまたはそれで被覆される。また、外部パッケージ１４は、パック１０の追跡を容易にするように、または在庫管理のためにＧＰＳデバイス、ＲＦＩＤ装置等などの追跡デバイスを収容することができる。そのうえ、パッケージは、ノイズ発生装置を収容することができる。たとえば、パッケージは、空気がパッケージを横切る際に、電気的にまたは機械的に活性化される笛、ブザー、ビーパーを収容することができる。ノイズ発生装置は、パックが落下する際に、または投下場所において該パックの到着および場所を知らせることができる。ある実施形態においては、パック１０は、移動しない部品、電気部品、または機械部品を有する。
【００４６】
外部パッケージ１４は、しるしを含み、かつ／または収容することができる。しるしは、その内容物を示すように着色された材料またはシンボルを含むことができる。たとえば、青色のしるしは、物品１１が水であることを示すことができ、赤十字社のしるしは、物品１１が医療物資を含むことを示すことができる。また、しるしは、パック１０を開くために、およびその内容物の使用を示すように複数の言語のまたは図示の説明書を含むことができる。ある実施形態においては、パック１０は、着色され得る。たとえば、パック１０は、青色、栗色、黄色、ベージュ、または格子縞または水玉模様であることができる。そのうえ、パック１０は、パックに結合されるプリント基板装置のソーラーフィルムを有することができる。装置は、ＡＭ／ＦＭまたは短波長の信号を受信し送信することによって通信および／またはナビゲーション提案のために使用され得る。
【００４７】
パック１０を空中分配するために、熟練した職人は、要望通り、任意の適切な空中分配システムを選択し得る。非限定的な実施例として、分配システムは、その全体がここに参照により本明細書に組み込まれている、「Ｃａｒｇｏ  Ｄｅｌｉｖｅｒｙ  Ｓｙｓｔｅｍ  ｆｏｒ  Ａｉｒｃｒａｆｔ」と題された米国特許第４，３４９，１６８号明細書、その全体がここに参照により本明細書に組み込まれている、「Ａｅｒｉａｌ  Ｄｅｌｉｖｅｒｙ  Ｓｙｓｔｅｍ」と題された米国特許第４，２４１，８９０号明細書、および、その全体がここに参照により本明細書に組み込まれている、「Ａｅｒｉａｌ  Ｃａｒｇｏ  Ｄｅｌｉｖｅｒｙ  Ｓｙｓｔｅｍ」と題された米国特許第４，３７４，５７８号明細書に説明されたように実質的になり得る。
【００４８】
図２９ａおよび図２９ｂは、空中保管および分配コンテナ２９００の一実施形態を示している。コンテナ２９００は、厚紙で作られることが好ましい。しかしながら、コンテナ２９００は、他の材料、たとえば、プラスチック、金属、ナイロン、木材、布、ゴム、スタイロフォーム、または他の天然素材もしくは人工の材料で作られ得る。コンテナ２９００は、立方体として示されているが、コンテナ２９００は、他の形状を有することができる。たとえば、コンテナ２９００は、円柱、ピラミッド、直平行六面体、円錐、バッグ（たとえば、図３５ａから図３５ｃ）、ブラダーバッグ（たとえば、ヘリコプターの底部に取り付けるための）、またはプリズムであってもよい。好ましい実施形態においては、複数のコンテナ２９００は、幾重にも積み重ねられ得る。各コンテナ２９００は、５０００個までのパック１０まで保持できることが好ましいが、しかし、各コンテナ２９００は、より多くのまたはより少ないパック１０を保持することができる。
【００４９】
好ましい実施形態においては、コンテナ２９００の上面は、プルコード２９０５を含む粘着テープで封止される。プルコード２９０５は、粘着テープに埋め込まれることが好ましく、コンテナ２９００の内容物の展開より前に、引っ張られると、プルコード２９０５は、コンテナ２９００の上面で継ぎ目に沿って粘着テープを分割する。他の実施形態においては、コンテナ２９００は、膠、ボルト、無頭釘、リベット、ねじ、釘、連動蓋、摩擦蓋、ねじ蓋、他の接着剤、ロック、撚り糸、ロープ、または他の締結装置で一時的に封止され得る。
【００５０】
（図２９ｂに示されるように）コンテナ２９００の底面に結合されるつなぎ綱２９１０があることが好ましい。つなぎ綱２９１０は、接着剤、ボルト、リベット、無頭釘、ねじ、釘、または他の締結装置によってコンテナ２９００の底面に結合され得る。そのうえ、つなぎ綱２９１０は、コンテナ２９００の底面の材料に組み込まれることができ、コンテナ２９００の底面の孔を通してコンテナ２９００の内側に結合され得る。つなぎ綱２９１０は、接着剤、ボルト、リベット、無頭釘、ねじ、釘、撚り糸、ロープ、または他の締結装置で（図２９ａおよび図２９ｂに示されるように）コンテナ２９００の側面に一時的に固着され得る。つなぎ綱２９１０は、ナイロン、ゴム、鎖、プラスチック、または他の天然素材もしくは人工の材料などの、可撓性の高強度の非弾性材料で作られることが好ましい。好ましい実施形態においては、つなぎ綱２９１０は、コンテナ２９００に結合される端部と反対側のつなぎ綱２９１０の端部にループ２９１５を有する。ループ２９１５は、航空機の自動索または航空機の別の部分に結合可能であり得る。
【００５１】
好ましい実施形態においては、つなぎ綱２９１０は、（図２９ａおよび図２９ｂに示されるように）とプルコード２９０５平行であるコンテナ２９００の表面に固着される。しかしながら、つなぎ綱２９１０は、プルコード２９０５に垂直なコンテナ２９００の表面に固着され得る。コンテナ２９００は、手掛けを有することができる。手掛けは、コンテナ２９００の本体から延在することができ、またはコンテナ２９００の表面に切り込まれ得る。コンテナ２９００の底面は、それに結合されるスライダを追加として有することができる。スライダは、コンテナ２９００を輸送手段から押し出し、内容物を分配することを補助する。たとえば、スライダは、低摩擦ディスク、半球形プラスチック装置、ローラ、キャスタ、車輪、または別の装置であることができる。
【００５２】
コンテナ２９００は、再使用可能または再生利用可能であり、または再利用され得る。追加として、コンテナ２９００が展開の場所において輸送手段から開放される実施形態においては、コンテナ２９００は、二次使用のために再利用可能であり得る。たとえば、コンテナ２９００は、防水コーティングで被覆されることができ、したがって、コンテナ２９００は、シェルタとして使用されることができ、コンテナ２９００の燃焼時間を増大させる材料（たとえば、ワックス）で含侵されることができ、または、コンテナ２９００は、熱を閉じ込め、または中に入れないように絶縁され得る。
【００５３】
コンテナ２９００の内容物を展開するために、好ましい実施形態においては、コンテナ２９００は、輸送手段（たとえば、貨物飛行機）に積載される。展開される必要がある内容物の量に応じて、１つまたは複数のコンテナ２９００が、輸送手段に積載され得る。いったん積載されると、つなぎ綱２９１０のループ２９１５は、輸送手段の自動索に結合される。コンテナ２９００は、つなぎ綱２９１０が輸送手段の内側に向いており、コンテナ２９００の反対側が、それによって内容物が展開することになる開口に向いているように輸送手段内に配置される。いったん自動索に結合されると、プルコード２９０５が引っ張られ、それによってコンテナ２９００が開封される。輸送手段が展開の場所に到達すると、コンテナ２９００は、輸送手段の外へ押し出され、内容物を解放する。
【００５４】
コンテナ２９００は、パック１０が群がることまたは別な形で一緒に留まることなくコンテナ２９００から出て行くことを容易にするように、設置された１つまたは複数の分散補助具を有することができる。たとえば、図３５ａから図３５ｂに示されるように、コンテナ２９００にはそらせ板３５９０が装備され得る。そらせ板３５９０は発泡体であることが好ましいが、他の材料（たとえば、厚紙、プラスチック、木材、金属、または他の天然素材もしくは人工の材料）が使用され得る。パック１０がコンテナ２９００から出て行く際に、そらせ板３５９０はパック１０の外側列の退出を妨げ、それによりパック１０が分散することになる。
【００５５】
図３６ａから図３６ｂは、もう１つの分散補助具３６９２の一実施形態を示している。分散補助具３６９２は、発泡体ピラミッド３６９４に結合される隆起したボードであることが好ましい。ピラミッド３６９４は、代替的に、厚紙、プラスチック、木材、金属、または他の天然素材もしくは人工の材料であることができる。分散補助具３６９２は、コンテナ２９００の開口に結合されることが好ましく、ピラミッド３６９４に結合されるつなぎ綱２９１０が引っ張られる際に、分散補助具３６９２は、コンテナ２９００を通して押し出され、それによって、パック１０を分散させる。コンテナ２９００の開口は、接着剤、弾性バンディング、または別の締結装置によって固定され得る。
【００５６】
分散補助具のもう１つの実施形態が、図３７に示されている。図３７においては、パック１０は、フィルム３７９６の薄いシートの織り合わせの間に配置される。フィルム３７９６は、プラスチック、紙、布、または別の天然素材もしくは人工の材料であってもよい。コンテナ２９００が展開される際に、フィルム３７９６は、フィルム３７９６の折り曲げの間に配置されるパック１０と一緒にコンテナ２９００から出て行く。フィルム３７９６の折り曲げのため、パック１０は、複数の方向にコンテナ２９００から押し出される。
【００５７】
図３８は、もう１つの分散補助具の一実施形態を示している。図３８の実施形態においては、仕切り３８９３が、コンテナ２９００内に配置される。示される実施例においては、仕切りは、コンテナ２９００内に４つのセクションを作り出すが、別の数のセクションが、仕切り３８９８によって作り出され得る。仕切り３８９８は、コンテナ２９００と同じ材料から成ることが好ましいが、別の材料が使用され得る。仕切り３８９８により、パック１０は重ならずに積み重ねられるようになる。しかしながら、他の実施形態においては、パック１０は、各セクション内にランダムに配置され、また交互配置され得る。好ましい実施形態においては、偏向装置が、パック１０をさらに分散させるように仕切り３８９８の部分の間の中央交差部に設置され得る。
【００５８】
図５０Ａから図５０Ｆは、もう１つの分散補助具の一実施形態を示している。図５０Ａに示される分解図においては、ボックス５０００が展開される際に、空気が蓋５０５０をボックス５０００から外し、内部バッグ５０５５をボックス５０００から引き上げる。たとえば、蓋５０５０は、パラコードまたはつなぎ綱５０５３を介して取付点５０５４で内部バッグまたは可撓性ライナ５０５５に結合され得る。図５０Ｃに示されるように、取付点５０５４は、補強材料であり、グロメット５０５２が、つなぎ綱５０５２を内部バッグ５０５５に結合することが好ましい。つなぎ綱５０５３は、蓋５０５０においてグロメット５０５６およびナット５０５７を介して蓋５０５０に結合されることが好ましい。つなぎ綱５０５２を蓋５０５０と内部バッグ５０５５の両方に結合する他の方法が実施され得る。好ましくは、内部バッグ５０５５は、裏返しにさせられ、内部バッグ５０５５内のパック１０は、ボックス５０００の外へ押し出されることが好ましい。内部バッグ５０５５が逆になる際に、分離底部５０５８は、パック１０をボックス５０００の外へ押し出すことを補助するようにボックス５０００を通して引っ張られることが好ましい。内部バッグ５０５５の縁部は、ボックス５０００の縁部に折り重ねられ、内部バッグ５０５５およびボックス５０００の縁部は縫い合わせられることが好ましい。ある実施形態においては、パラシュートまたは他の装置が、パック１０をボックス５０００から放出することをさらに補助するように蓋５０５０に結合され得る。図５０Ｂは、展開後のボックス５０００、蓋５０５０、および内部バッグ５０５５の図を示しており、内部バッグ５０５５を逆さにし、その内容物を放出している。図５０Ｄから図５０Ｆは、蓋５０５０、内部バッグ５０５５、および底部５０５８のさまざまな図を示している。
【００５９】
図３０ａおよび図３０ｃは、空中保管および分配コンテナ３０００のもう１つの実施形態を示している。コンテナ３０００は、コンテナ２９００に類似しているが、コンテナ３０００は、キャノピー３０３７をさらに備えている。キャノピー３０３７は、空気抵抗装置であることが好ましい。たとえば、キャノピー３０３７は、パラシュート、パラセール、翼、または回転可能なヘリコプターであることができる。キャノピー３０３７は、耐久性のある軽量な素材から成ることが好ましい。たとえば、キャノピー３０３７は、ナイロン、綿、キャンバス、絹、マイラー、ゴム、または別の天然素材もしくは人工の材料で作られ得る。追加として、キャノピー３０３７は、二次使用のために再利用可能であり得る。たとえば、キャノピー３０３７は、シェルタとして使用するように防水であることができ、キャノピー３０３７は、バッグに改造するようにハンドルを有することができ、またはキャノピー３０３７は、太陽電池式ストーブとして使用するように反射性であることができる。
【００６０】
キャノピー３０３７はコンテナ３０００の内部にもしくはコンテナ３０００の外に保管されることができ、またはしっかりと固定されていなくてもよい。たとえば、図３０ａおよび図３０ｂに示される実施形態においては、キャノピー３０３７は、コンテナ３０００の内蓋フラップ３０３５に結合されたレセプタクル３０３０に保管され得る。キャノピー３０３７は、つなぎ綱３０１０に結合されることが好ましい。コンテナ３０００の内容物の展開中に、つなぎ綱３０１０が引っ張られる際に、キャノピー３０３７は、解放され、単に風圧抵抗により空中で広がることが好ましい。図３０ａおよび図３０ｂに示される実施形態においては、たとえば、キャノピー３０３７は、コンテナ３０００の開口３０４０を通して引っ張られる。次いで、コンテナ３０００は、輸送手段から解放され、依然としてつなぎ綱３０１０に取り付けられているキャノピー３０３７は、コンテナ３０００を開口が地面の方に向くように回転させ、それによって空にする。追加として、キャノピー３０３７は、地上の人々または物体に対する負傷または損傷を防止すようにコンテナ３０００の降下を減速させることが好ましい。キャノピー３０３７および／またはコンテナ３０００には、指示装置が用意され得る。指示装置は、落下しているコンテナについて地上の人々に警告することができ、いったん地上に到達すると人々をコンテナ３０００の方へ指図することができる。指示装置は、たとえば、光、煙、ノイズ生成器（たとえば、笛）、ＧＰＳ表示器、または反射表面であることができる。
【００６１】
図４９ａから図４９ｂは、キャノピーのもう１つの実施形態を示している。図４９ａから図４９ｂに示される実施形態においては、ボックス蓋４９５０が、キャノピーとして働き、展開時にボックス４９００の降下を減速させる。ボックス蓋４９５０は、グロメット４９１１においてつなぎ綱４９１０を介してボックス４９００に取り付けられることが好ましい。ボックス４９５０が展開される際に、ボックス蓋４９５０は、ボックス４９００を離昇し、教示したつなぎ綱４９１０を引っ張る。つなぎ綱４９１０がピンと張る際に、好ましくは、ストラップ４９１５が上げ底４９５６をボックス４９００から外に引っ張り、それによって、ボックスの内容物をボックスの底部を通して外へ押し出す。
【００６２】
図３１ａから図３１ｄは、空中保管および分配コンテナ３１００のもう１つの実施形態を示している。コンテナ３１００は、コンテナ３１００の底部が千鳥状スロット３１５０を有することを除いて、コンテナ２９００に類似している。千鳥状スロット３１５０は、つなぎ綱３１１０をコンテナ３１００の底部のいくつかの層を通して織り込ませることが好ましい。図３１ａに示されるように、つなぎ綱３１１０は、千鳥状スロット３１５０を通して織り込み、３つの折り返しを形作る。３つの折り返しが示されているが、別の折り返しが実施され得る。つなぎ綱３１１０は、コンテナ３１００の底部内に取り付けられるボード３１５５に結合されることが好ましい。ボード３１５５は、メゾナイト、合板、金属、プラスチック、厚紙または別の材料であってもよい。つなぎ綱３１１０は、摩擦、引き結び、リベット、ボルト、無頭釘、接着剤、ねじ、または別の締結装置によってボード３１５５に結合され得る。
【００６３】
千鳥状スロット３１５０は、コンテナ３１００の底部の封止に役立ち、コンテナ３１００が展開される際コンテナ３１００が経験する力を低減することが好ましい。好ましくは、コンテナ３１００の展開中に、コンテナ３１００の材料は、つなぎ綱３１１０が真っ直ぐになる際に裂け、それによって、つなぎ綱３１１０の張りを遅らせ、ボード３１５５に対する圧力を低減する。
【００６４】
図３１ｂから図３１ｄに示されるように、つなぎ綱３１１０は、コンテナ３１００の底部を出て行くことが好ましく、コンテナ３１００の１つの側部および頂部に固定される。好ましくは、つなぎ綱３１１０は、紙テープによってコンテナ３１００に固定されるが、他の締結装置（たとえば、接着剤、ボルト、リベット、無頭釘、ねじ、釘、撚り糸、ロープ、または別の締結装置）が使用され得る。つなぎ綱３１００は、コンテナ３１００の蓋の２つの部分の間の継ぎ目を覆い封止することが好ましい。コンテナ３１００が展開される際に、コンテナ３１００の蓋の２つの部分の間の継ぎ目は、封止されなくなり、それによって、コンテナ３１００の内容物がコンテナ３１００を出て行くようになっている。
【００６５】
図３２ａから図３２ｂは、コンテナ３２００のもう１つの実施形態を示している。コンテナ３２００の頂部は、それによってコンテナ３２００の内容物が輸送手段から分散され得るシュート３２６０を形成するように開くことが好ましい。コンテナ３２００は、コンテナ３２００の内容物を輸送手段から外に方向付けることを助けるように傾斜パレット３２６５に結合されることができ得る。
【００６６】
図４３ａから図４３ｆは、コンテナ４３００のもう１つの実施形態を示している。図４３ａから図４３ｆの実施形態においては、コンテナは、閉鎖可能ボックスに切り込まれ折り曲げられる、単一体のプラスチックダンボールから成ることが好ましい。コンテナ４３００の頂部および底部の両方は、封止装置（たとえば、テープ、ファスナー、撚り糸）の使用なしに密封可能であることが好ましい。好ましい実施形態においては、コンテナ４３００は、複数のボックスを、互いの頂部に積み重ねできるようにするように、ボックスの頂部から延在する少なくとも１つのタブと、ボックスの底部の少なくとも１つの凹みもしくは孔とを有する。コンテナ４３００の継ぎ目は、ヒートシールされることが好ましい。
【００６７】
図３９ａから図３９ｃは、コンテナバッグ３９００の一実施形態を示している。バッグ３９００は、図３９ａに示されるように、発送のために折り畳めることが好ましい。バッグ３９００の開口において、主リング３９４４があることが好ましい。主リング３９４４は、（図３９ｃに示されるように）内径に角度の付いたフランジを有することが好ましい。好ましくは、角度の付いたフランジは、展開中にバッグ３９００の内容物の飛行経路を混乱させ、それにより内容物が散乱する。主リング３９４４は、バッグ保持リングセグメント３９４６によってバッグ３９００上に保持される。２つのバッグ保持リングセグメントが示されているが、別の数（たとえば、１つのリング、３つのリングセグメント、４つのリングセグメント）が使用され得る。バッグ３９００の開いた縁部は、主リング３９４４とバッグ保持リングセグメント３９４６との間に保持されることが好ましい。好ましい実施形態においては、パックディスラプタディスク３９４８が、ストラップ３９４２によって主リング３９４４に結合される。４つのストラップ３９４２が示されているが、ストラップ３９４２の別のものが、パックディスラプタディスク３９４８を主リング３９４４に結合し得る。輸送中に、パックディスラプタディスク３９４８は、バッグ３９００のための蓋として働くことが好ましい。しかしながら、いったん展開されると、パックディスラプタディスク３９４８は、ストラップ３９４２によって主リング３９４４からある距離を置いて保持される。パックディスラプタディスク３９４８は、展開中にバッグ３９００の内容物の飛行経路をさらに混乱させ、それにより内容物がさらに散乱することになる。
【００６８】
いくつかの実施形態においては、所望の数のパック１０を保持する他のコンテナまたはマガジンが、たとえば、Ｃ−１３０などの飛行機の貨物倉に配置される。パック１０を飛行機に搭載するための任意の適切な方法が用いられ得る。たとえば、コンテナは、その全体がここに参照により本明細書に組み込まれている、「Ｃｈａｎｎｅｌ  Ｓｌｉｄｅ  Ｃａｒｇｏ  Ｈａｎｄｌｉｎｇ  Ｓｙｓｔｅｍ  ａｎｄ  Ｍｅｔｈｏｄ」と題された米国特許出願公開第２００８／０２１９８３０号明細書に説明されるシステムおよび方法を用いて飛行機に積載され得る。コンテナは、飛行機の貨物の慣例として行および列の形で配置され得る。コンテナは、所望の量のパック１０および物資のタイプを含むことができ、軍事オペレーションまたは自然災害の場合に分配を待ち受けている米国および世界中の戦略的な場所に準備され保管され得る。
【００６９】
好ましい実施形態においては、コンテナは、保管、発送、および展開のためにより大きなバルク（またはゲイロード）ボックスに配置される。バルクボックスは、木材、厚紙、プラスチックダンボール、金属、または別の隆起したもしくは可撓性の材料で作られ得る。図４０ａから図４０ｃは、ゲイロードボックス４０００の１つの実施形態を示している。好ましくは、ボックス４０００は、本明細書において説明されたように８個のコンテナを収容するが、ボックス４０００は、別の数のコンテナ（たとえば、４個、６個、または１０個）を収容することができる。好ましい実施形態においては、ボックス４０００は、フレーム４０１０で補強される。フレーム４０１０は、木材、厚紙、プラスチック、金属、または別の隆起した材料で作られ得る。好ましくは、フレーム４０１０は、つなぎ綱４０２０を介してボックス４０００に結合される。好ましい実施形態においては、つなぎ綱４０２０は、結び付けられるか、またはフレーム４０１０に別の形で取り付けられ、ボックス４０００の底部の開口を通り抜ける。次いで、つなぎ綱４０２０は、展開輸送手段（たとえば、飛行機）にまたはキャノピーに結合され得る。展開中に、ボックス４０００は、展開輸送手段から投げ出され、キャノピーによってまたは展開輸送手段に取り付けられているつなぎ綱によって無理に逆さまにされる。いったん逆さまになると、より小さなコンテナが、ボックス４０００を出て行き、本明細書において説明された方法のうちの１つによってそれらの内容物を空にする。
【００７０】
図４１は、ゲイロードボックス４１００のもう１つの実施形態を示している。ボックス４１００は、ボックス４０００に類似しているが、フレームの代わりに、ボックス４１００の底面が、パレット４１３０によって形成される。パレット４１３０は、厚紙、木材、プラスチック、金属、または別の隆起した材料で作られ得る。パレット４１３０の上に取り付いたパレットに密封可能なボックス４１００とパレット４１３０の両方は、展開輸送手段上への積載を容易にするために係合するフォークリフト用の開口を有することが好ましい。ボックス４１００およびパレット４１３０は、ボックス４１００の材料をパレット４１３０に折り曲げること、溶接、リベット、ボルト、接着剤、または他の締結装置を介して一緒に封止され得る。図４６は、ゲイロードボックスの一部をパレットの底面に挿入し次いで折りかぶせた状態でパレットに結合されたゲイロードボックスの一実施形態を示している。好ましいパレット４１３０およびボックス４１００は共に、展開輸送手段上に積載され、展開の場所において展開輸送手段から投げ出される。図４５はパレットに結合された、荷を積んだゲイロードボックスの一実施形態の分解図を示している。
【００７１】
図４４ａから図４４ｂは、パレット４４００のもう１つの実施形態を示している。図４４ａから図４４ｂに示される実施形態においては、パレットは、プラスチックダンボール頂部および底部、ならびに発泡支持体から成る。好ましくは、発泡支持体は、搭載される間の頂部の浸漬またはたわみを防止する。耐久性を与えるパレット４４００の材料は、伝統的な木材パレットに比べて軽量で弾性がある。パレット４４００は、プラスチックダンボールで作られるゲイロードボックスに密封可能であることができ、いったん密封されると、パレットおよびゲイロードボックスは、防水性があり得る。パレット４４００は、パレットおよびゲイロードボックスが展開中に分離しないようにゲイロードボックスに別の形で結合可能であり得る。好ましくは、パレット４４００の底部は、航空機コンテナ搬送システム（ＣＤＳ）と嵌まり合い得るフランジを提供するパレット４４００の台を誇りとしている。フランジにより、パレットがスキッド板として使用されるようになっていることが好ましい。スキッド板の強度を増加するために、好ましくは、重ね合わされたプラスチックダンボールの２枚のシートが、パレット４４００の底部を作り出すように直交して一緒に結合される。
【００７２】
図４８ａから図４８ｃは、ボックスのカバーまたは蓋４をボックス３の本体に保持するフックおよびループストラップ５を持つボックス、コンテナ、またはゲイロードの実施形態を示している。図４８ｄは、ストラップ５を持つボックス３の分解図である。ストラップ５は、パラシュートリギング１またはボックス３用の保持システムに結合され得る。ストラップ５は、輸送中の蓋４および製品保持、ならびに空中展開中のパラシュートリギング内のその後のボックス３および蓋４の閉じ込めを確保することが好ましい。充填されたボックス３を保管し輸送する場合は、通常、ボックス３内の製品汚染を低減するようにボックス３を覆ったままにしておくことが望ましい。空中輸送の場合、ボックス３は、多くの外力を受ける可能性があり、蓋のあるボックス３は、多くの状態下でボックス３内に製品を保持し得ることが好ましい。ボックス３内にある製品の空中展開が必要とされる場合は、蓋４は、製品がボックス３を自由に出て行くことができるようにボックス３から完全に取り外されることが好ましい。この蓋４の除去は、人手を介さずにかつ航空機から自由落下できる蓋４なしに完了されることが好ましい。ストラップ５およびパラシュートリギング１は、フックおよびループファブリックの剪断強度（好ましくは、１０ポンド／平方インチ）に依存することによって３ｇ’ｓまでのまたはより大きな力で輸送中に蓋４を保持することが好ましい。フックおよびループファスナーを用いた実施形態が説明されているが、他のファスナー、たとえば、スナップ、接着剤、ボタン、ジッパー、ボルト、リベット、分離ファスナー、およびクリップが利用され得る。空中展開中に、リギング１のパラシュートブライダル部分は、フックおよびループファブリックの剥離強度（好ましくは、幅について３ポンド／インチ）に従って動くことが好ましい。蓋４保持の剪断力および蓋４除去の剥離力の両方は、フックおよびループファブリック構成要素の寸法を単に変えることによって要望通り変更され得る。フックおよびループファブリックは、フックおよびループファブリックの固有の性質（剪断強度および剥離強度）を利用する形でリギング１およびボックス３の両方に配置され取り付けられることが好ましい。好ましくは、ストラップ５は、蓋４を覆って、少なくともボックス３のある側面の周りでボックス３の底部に結合され、ボックス３の別の側面に沿って、対応するフックまたはループファブリックに係合する。ストラップ５は、強度を増加し、搬送中に構成要素を一緒に保つようにボックス３および／または蓋４のどちらかの部分の一部を通り抜けることができる。１個、２個、３個、４個、またはより多くのストラップが使用され得る。
【００７３】
フックおよびループファブリックの強度を試験する際に、剪断強度は、平方インチあたりおよそ１０ポンドであり、剥離強度は、およそ３ポンドであった。試験されたファブリックの異なる長さと幅との間の変化はほとんどなかった。したがって、１”ｘ１”フックおよびループは、およそ１０ｐｓｉの剪断強度および３ポンドの剥離強度を有し、２”ｘ１”フックおよびループは、およそ２０ｐｓｉの剪断強度および３ポンドの剥離強度を有し、残りは先例に従った。表１は、試験されたファブリックについてさまざまな剥離および剪断強度を示すチャートである。
【００７４】
【表１】
0006637958.tif 000002
【００７５】
展開中に、ボックス４０００またはボックス４１００は、展開輸送手段から投げ出され、キャノピーによってまたは展開輸送手段に取り付けられているつなぎ綱によって無理に逆さまにされる。いったん逆さまになると、より小さなコンテナは、ボックスを出て行き、本明細書において説明された方法のうちの１つによってそれらの内容物を空にする。たとえば、図４２に示されるように、より小さなコンテナは、ボックス４０００にまたはボックス４１００のパレットにつなぎ綱で繋がれることができ、いったんより小さなコンテナの内容物が展開されると、より小さなコンテナおよびボックス４０００またはボックス４１００は、降下を減速させるボックス４０００またはボックス４１００に結合される単一のキャノピーと共に降下することができる。図４７は、展開後のコンテナの経過についてのもう１つの実施形態を示している。図４７に示される実施形態においては、各より小さなコンテナは、それ自体のキャノピーを有し、それにより、コンテナは展開中に漂流して離ればなれになるようになっている。
【００７６】
例示的な実施形態においては、飛行機のリヤハッチは、所望の場所へのコンテナの輸送中に閉鎖され、コンテナの下に配置されるコンベヤシステムは引っ込められる。いったん航空機が所望の場所に到着すると、飛行機のリヤハッチが開かれ、コンベヤシステムが、貨物倉から延在される。次いで、コンテナ内のパック１０が、コンベヤシステムの上で空にされ、コンベヤシステムにより、パック１０は地上の人々への空中分配のためにリヤハッチから飛行機を出て行くことになる。コンテナのパック１０は、ひとまとめに空にされることができ、またはパック１０は所望のレートでコンベヤシステムの上に個々に計量され得ることが理解される。パック１０は、パック１０が一塊にされまたは一緒に密集されないように、および他のパック１０からの各々のパック１０の分離が達成されるように、コンテナからおよび飛行機から外に運ばれる。
【００７７】
もう１つの実施形態においては、図３３に示されるように、展開輸送手段には、ホッパー３３７０が用意され得る。ホッパー３３７０は、輸送手段の１つの側面に結合されことが好ましく、所望の場所で展開できるようにパック１０で充填され得る。いったん輸送手段が展開の場所に到着すると、少なくともホッパー３３７０の一部は、重力がパック１０を輸送手段から出させることができるように持ち上げられ得る。もう１つの実施形態においては、機械式コンベヤがパック１０を輸送手段から出させる。ホッパー３３７０は、金属、プラスチック、木材、または別の天然素材もしくは人工の材料であってもよい。輸送手段が飛行機の場合は、ホッパーの重量およびその内容物は、平衡を保たれなければならない。
【００７８】
もう１つの実施形態においては、図３４ａから図３４ｃに示されるように、カート３４８０は、輸送手段からパック１０を展開するように使用され得る。カート３４８０は、１つの車輪を持つ一輪車に類似してもよく、または複数の車輪を有してもよい。好ましい実施形態においては、カート３４８０には、パック１０が積載され、展開の場所において、パック１０がカート３４８０を出て行くように輸送手段から傾かされる。カート３４８０には、パック１０が輸送手段の中へ吹き戻さないようにタープ３４８５または他のカバーが用意され得る。そのうえ、カート３４８０は、輸送手段の出口に取り付けられるローラに係合する底面に結合されるフックを有し得る。フックおよびローラは、カート３４８０を傾かせることを助ける。カート３４８０およびタープ３４８５は、金属、プラスチック、木材、または他の天然素材もしくは人工の材料であってもよい。
【００７９】
また、図１から図１０に示されるように、複数のパック１０が飛行機からなどの地上より上の高所から分配される場合は、パック１０のほぼすべてが、シート１８と地上との間で空気力学的構成要素３２、３４によって方向付けられることが驚くべきことに発見されている。この種の方向付けは、空気によって捕らえられており、パック１０の最終速度を最小限にするように外に向かって延在する空気力学的構成要素３２、３４をもたらす。有利なことに、空気力学的構成要素３２、３４の方向付けは、その上にパック１０が展開される地上の全域でパック１０のランダムで均一な分配をさらにもたらす。
【００８０】
パック１０のサイズ、その内部パッケージ１２の内容物の割合、およびそれからパック１０が形成される材料により、パック１０は、パック１０が地上の人々または所有物を害さないような十分に低い所望の最大最終速度に達するように適応される。本明細書において議論したように、パック１０の内容物のサイズ、重量、および性質は、内部および外部パッケージ１２、１４を形成するのに使用される材料、およびパック１０のサイズを規定することになる。
【００８１】
有利なことに、パック１０の空気力学的構成要素３２、３４は、その最終速度をさらに最小限にする耐風構造物を提供する。パック１０に任意選択的に組み込まれる剛性インサート４０は、空中分配中にパック１０の曲げまたは折り曲げを妨げるように剛性を与える。曲げまたは折り曲げを妨げることによって、空気によって接触されるパック１０の表面領域が最大限にされ、それによって、パック１０の最終速度が低減され、ある場合には最小限にされる。
【００８２】
パレットによってではなく個々にパック１０を分配することによって、その中に収容される物資のより広い分配が任意選択的に達成され、物資のため込みがより困難になり、それによって、より多くの人々が必要な物資を受け取ることが確保される。
【００８３】
図１１から図１７に示されるように、本開示はまた、パック１０を製造するための連続システム１００を含む。また、他のタイプのパック１０が、本開示のシステム１００によって製造され得る。
【００８４】
図１１を参照して、パック１０を製造するためのシステム１００は、製品搭載ユニット１０２、長手方向のミッドパックおよび縁部封止ユニット１０４、横ヒートシールユニット１０６、穿孔ユニット１０８、翼折り畳みユニット１１０、翼バンド封止ユニット１１２、およびパックセパレータユニット１１４を含む。また、システム１００は、パック１０とシステム１００を通してパック１０の関連するサブコンポーネントとを連続的に輸送するための、下に第１のコンベヤ１１６および第２のコンベヤ１１８と呼ばれる、次々と配置される一対の長手方向に延在するコンベヤ１１６、１１８を含む。第１のコンベヤ１１６および第２のコンベヤ１１８の各々は、パック１０が製造される際にパック１０とパック１０の関連するサブコンポーネントとを第１のコンベヤ１１６および第２のコンベヤ１１８に固定するように構成される少なくとも１つの真空プレナム１１９と連通していることができる。
【００８５】
図１２を参照して、製品搭載ユニット１０２は、空中搬送用の物品を含む内部パッケージを第１のシートと第２のシートの間に置くように構成される。製品搭載ユニット１０２は、第１のシート供給ロール１２０、第２のシート供給ロール１２２、および製品搭載器１２４を含むことができる。第１のシート供給ロール１２０は、第１のシートを供給し、第２のシート供給ロール１２２は、第２のシートを供給し、製品搭載器１２４は、パック１０のための内部パッケージを供給する。第１のシート供給ロール１２０は、パック１０のための第１のシートを形成する材料を連続的に供給する。第１のシートが第１のシート供給ロール１２０から前進される際に、印刷機が、その上に所望のしるしを印刷することができる。たとえば、印刷機は、作成日付、有効期限、追跡情報、およびしるし等を印刷するように使用され得る。第１のシートは、第１のコンベヤ１１６によってシステム１００を通して前進され得る。当業者は、第１のシートは、要望通り、協働する被駆動ローラの対などの、代替的手段によってシステム１００を通して前進され得ることを理解されたい。追加として、第１のシートは、本明細書において説明されたように複数の層から成ることができる。
【００８６】
第１のシートが製品搭載器１２４に隣接して前進される際に、内部パッケージは、所望の間隔で製品搭載器１２４によって第１のシートに載せられる。肯定的な結果が、第１のシートの実質的に中央の長手方向に延在する軸線に沿って配置される内部パッケージを有するパック１０から得られている。製品搭載器１２４内の内部パッケージは、同じ物資を収容してもよく、または内部パッケージは、要望通り異なる物資を収容してもよい。たとえば、多量の水を含む内部パッケージは、第１のコンベヤ１１６上で第１のシートに供給してもよく、または内部パッケージは、たとえば、水、食物、および個人用衛生用品を交互に収容してもよい。ある実施形態においては、パックは、空でもよく、または後の時点にまたは場所で充填されてもよい。
【００８７】
第２のシート供給ロール１２２は、パック１０のための第２のシートを形成する材料を連続的に供給する。第２のシートは、第２のシート供給ロール１２２から一対のオーバーラップロールによって、たとえば、内部パッケージおよび第１のシートの上に配置され得る。また、内部パッケージおよび第１のシートの上に第２のシートを配置するための他の適切な手段が、要望通り用いられ得る。第２のシートは、第１のシートと同一であってもよく、第１のシートと異なってもよい。
【００８８】
内部パッケージが第１のシートと第２のシートとの間に配置された後に、内部パッケージならびに第１および第２のシートを含むアセンブリが、図１３に示されるように、たとえば、長手方向のミッドパックおよび縁部封止ユニット１０４まで前進される。長手方向のミッドパックおよび縁部封止ユニット１０４は、内部パッケージを収容する外部パッケージを形成するように第１のシートおよび第２のシートを封止する。長手方向のミッドパックおよび縁部封止ユニット１０４は、たとえば、ヒートシーラーであってもよいが、第１のシートと第２のシートとの間に内部パッケージを封止するための他の手段がまた、本開示の範囲内で用いられ得る。
【００８９】
特定の実施形態においては、長手方向のミッドパックおよび縁部封止ユニット１０４は、第１および第２のシートの側縁、ならびに内部パッケージに隣接する第１および第２のシートのミッドパックの場所の両方をヒートシールする。非限定的な実施例として、長手方向のミッドパックおよび縁部封止ユニット１０４は、第１および第２のシートの側縁をヒートシールするように構成される一対の側部封止バンド１２６、１２８含むことができる。また、長手方向のミッドパックおよび縁部封止ユニット１０４は、内部パッケージに隣接する第１および第２のシートのミッドパック領域をヒートシールするように構成される一対のミッドパック封止バンド１３０、１３２含むことができる。
【００９０】
図１３に示されるように、システム１００の横ヒートシールユニット１０６は、長手方向のミッドパックおよび縁部封止ユニット１０４に隣接して配置される。横ヒートシールユニット１０６において、封止されていないパック１０の第１および第２のシートの各々の上縁および底縁が封止される。横ヒートシールユニット１０６は、その上に一対のヒートシールシリンダ１３６が移動自在に取り付けられる一対の直線状のレールマウントブロック１３４を含む。直線状のレールマウントブロック１３４は、たとえば、軸受を含むことができ、第１のコンベヤ１１６によって第２の場所に移動された後に、長手方向のミッドパックおよび縁部封止ユニット１０４に最も近い第１の場所まで戻るように、たとえば、ばね等によって付勢され得る。ヒートシールシリンダ１３６は、上部ヒートシールバー１３８および下部ヒートシールバー１４０を選択的に作動させる。
【００９１】
部分的に封止されたパック１０は、たとえば、第１のコンベヤ１１６によって横ヒートシールユニット１０６まで前進される。第１および第２のシートの上縁は、ヒートシールシリンダ１３６によって上部および下部ヒートシールバー１３８、１４０の作動によって最初に封止され、それによって、上部および下部ヒートシールバー１３８、１４０が第１の場所においてそれらの間で第１および第２のシートを圧縮し加熱することになる。ヒートシールシリンダ１３６ならびに上部および下部ヒートシールバー１３８、１４０は、第１のコンベヤを結合することによって封止されていないパック１０と共に前進し、それは、第１のコンベヤとの確実な結合によって直線状のレールマウントブロック１３４に沿って移動する。所定の時間の後に、その時間は第１および第２のシートの上縁が封止されることになるのに十分であるが、ヒートシールシリンダ１３６により、上部および下部ヒートシールバー１３８、１４０が第１および第２のシートから持ち上がることになる。上部および下部ヒートシールバー１３８、１４０は、第２の場所において第１および第２のシートから持ち上げられる。次いで、上部および下部ヒートシールバー１３８、１４０は、第１の場所に戻され、そのプロセスが、第１および第２のシートの底縁を封止するために繰り返される。長手方向のミッドパックおよび縁部シールならびに上縁および底縁シールを生成するステップは、現在説明した順序と逆の順序で生じてもよく、または要望通りほぼ同時に生じてもよいことが理解される。ある実施形態においては、パックが後の時点にまたは場所で充填され得るように少なくとも１つの縁部は封止されないままにしておかれ、その後残りの縁部が封止される。
【００９２】
また、横ヒートシールユニット１０６は、少なくとも１つの内部パッケージの上縁および底縁を頂部横シールおよび底部横シールによって第１のシートと第２のシートとの間に固定するように用いられ得る。たとえば、上部ヒートシールバー１３８および下部ヒートシールバー１４０は、頂部および底部横シールならびに上および底縁シールの各々を作り出す隆起部分を有することができる。また、内部パッケージを外部パッケージと結合するように頂部および底部横シールを形成するための他の手段が、本開示の範囲内で用いられ得る。
【００９３】
いったん長手方向のミッドパックおよび縁部シールならびに横上縁および底縁シールが形成されると、各パック１０は、第１のコンベヤ１１６によって横ヒートシールユニット１０６を通り過ぎて穿孔ユニット１０８まで移動させられる。穿孔ユニット１０８は、横ヒートシールユニット１０６と翼折り畳みユニット１１０との間に配置される。穿孔ユニット１０８は、個々のパック１０の分離を容易にするように各々のパック１０の第１および第２のシートを横方向に穿孔する。追加として、穿孔ユニット１０８は、パック１０の開口を容易にするようにミシン目を形成する。
【００９４】
図１４に示される特定の実施形態においては、穿孔ユニット１０８は、少なくとも１つの穿孔ブレード１４４を持つ穿孔ローラ１４２を含む。穿孔ローラ１４２は、アンビルローラ１４６に対向して配置される。第１のコンベヤ１１６は、穿孔ユニット１０８の一方の側に隣接して終端し、第２のコンベヤ１１８は、穿孔ユニット１０８の他方の側に隣接して開始し、穿孔ローラ１４２およびアンビルローラ１４６は、第１のコンベヤ１１６と第２のコンベヤ１１８との間に配置されることを理解されたい。穿孔ローラ１４２の穿孔ブレード１４４は、パック１０がその間を通過する際に、パック１０を穿孔するようにアンビルローラと協働する。穿孔ブレード１４４は、非常用パックの分離のための該非常用パックの幅を穿孔するための直線部分とパック１０の穿孔された開口の形成のための角部分とを有することができる。角部分は、たとえば、実質的にＶ字形状であってもよい。穿孔ブレード１４４は、要望通り他の形状を有することができる。また、パック１０を穿孔するための他の手段が、本開示の範囲内で用いられ得る。
【００９５】
図１５および図１６を参照して、本システム１００は、翼折り畳みユニット１１０および翼バンド封止ユニット１１２をさらに含む。翼折り畳みユニット１１０および翼バンド封止ユニット１１２は、少なくとも１つの内部パッケージに隣接する外部パッケージ上の翼などの一対の空気力学的要素を形成するように構成される。空気力学的要素は、パック１０が空から落下している際に、外部パッケージの全域で乱流を生じ、動作時にパック１０の降下速度を低減しまたは最小限にすることが好ましい。また、空気力学的要素は、パック１０が空から落下している際に、動作時にパック１０の降下速度を低減しまたは最小限にするのに寄与し得る。
【００９６】
穿孔されたパック１０が第２のコンベヤ１１８によって前進される際に、翼折り畳みユニット１１０は、パック１０の側縁の一部を折り畳む。たとえば、翼折り畳みユニット１１０は、一対の間隔を置いて配置されたフォルダベース１４６と、間隔を置いて配置されたフォルダベース１４６に隣接して配置される一対のフォルダガイド板１４８とを含む。パック１０の側縁は、フォルダガイド板１４８を通して前進され、このフォルダガイド板１４８は、パック１０の抗力要素を形成するように各側縁を折り畳む。
【００９７】
パック１０の側縁の折り畳みに続いて、折り畳まれた側縁は、たとえば、図１６に示されるような翼バンド封止ユニット１１２でヒートシールされる。前に説明されたシステム１００の長手方向のミッドパックおよび縁部封止ユニット１０４ならびに横ヒートシールユニット１０６と同様に、翼バンド封止ユニット１１２は、パック１０の第１および第２のシートを封止するために用いられる。特に、翼バンド封止ユニット１１２は、翼シールを形成するように折り畳まれた縁部を圧縮し加熱する一対の加熱されたシールバンド１５０、１５２を含むことができる。翼バンド封止ユニット１１２は、パック１０の抗力要素および側部封止縁部を同時に形成する。パック１０の空気力学的要素または「翼」は、形成される際に閉じられているが、パック１０が空から落下している際に動作時に開くことを理解されたい。
【００９８】
本開示のもう１つの実施形態においては、剛性インサートが、翼バンド封止ユニット１１２によってヒートシールするより前に、第１および第２のシートの側縁に隣接してされ得る。剛性インサートは、空気力学的要素の中に、または要望通り、側縁シールとミッドパックシールとの間の封止縁部に隣接してヒートシールされ得る。
【００９９】
図１７を参照して、システム１００は、パックセパレータユニット１１４をさらに含むことができる。パックセパレータユニット１１４は、たとえば、翼バンド封止ユニット１１２に隣接して配置される。パックセパレータユニット１１４は、裁断機１５４を含むことができる。裁断機１５４は、穿孔ユニット１０８によって形成されるミシン目の少なくとも一部に沿って切断するように構成され、それによって各々のパック１０が分離される。裁断機１５４は、それによってパック１０の個々のものを形成する。パック１０がシステム１００を出て行く際に、パック１０は、輸送および分配のために集められ保管される。パック１０は、パック１０を整理することなくコンテナに集められ得る。あるいは、パック１０は、整理して集められ、その結果積み重ねられたパック１０となり得る。たとえば、コンテナは、パック１０の内部パッケージを隣接するパック１０の内部パッケージからずらした状態で積み重ねられた所望の数のパック１０を収容するパックマガジンであってもよい。個々のパック１０を集めるための他の手段が、要望通り用いられ得る。
【０１００】
もう１つの別の実施形態においては、個々のパック１０は、展開中に分離される直線状「ストリング」を提供するように、パックセパレータユニット１１４によって分離されない。
【０１０１】
本開示は、パック１０を製造するための方法をさらに含む。方法は、本開示のシステム１００、または要望通り別のシステムで使用され得る。方法は、最初に、第１のシートと空中搬送のための物品を含む少なくとも１つの内部パッケージとを提供するステップを含む。次いで、内部パッケージは、第１のシートに置かれる。第２のシートは、内部パッケージおよび第１のシートの上方に配置される。次いで、第１のシートおよび第２のシートは、内部パッケージを収容する外部パッケージを形成するように封止される。少なくとも１つの空気力学的要素が、たとえば少なくとも１つの内部パッケージに隣接して外部パッケージに形成される。空気力学的要素は、外部パッケージの全域で乱流を生じ、動作時にパックの降下速度を低減しまたは最小限にすることが好ましい。また、空気力学的要素は、動作時にパックの降下速度を低減しまたは最小限にすることができる。
【０１０２】
第１のシートおよび第２のシートを封止するステップは、上縁シールと、底縁シールと、間隔を置いて配置される側縁シールとを第１のシートおよび第２のシート上に形成することを含むことができる。また、第１のシートおよび第２のシートを封止するステップは、一対のミッドパックシールを形成することを含むことができる。内部パッケージは、ミッドパックシールの対、上縁シール、および底縁シールによって外部パッケージ内に閉じ込められる。
【０１０３】
少なくとも１つの空気力学的要素を形成するステップは、第１のシートおよび第２のシートの対応する側縁を折り畳むことを含むことができる。折り畳まれた縁部は、たとえば、側縁シールとミッドパックシールとの間に、翼シールを形成するように封止される。
【０１０４】
また、内部パッケージは、パック１０の外部パッケージに結合され得る。たとえば、少なくとも１つの内部パッケージの上縁および底縁は、頂部横シールおよび底部横シールによって第１のシートと第２のシートとの間に封止され得る。内部パッケージは、それによって外部パッケージに結合される。また、接着剤、ファスナー等を含む、内部パッケージを外部パッケージと結合するための他の適切な手段が用いられ得る。
【０１０５】
また、本開示のパック１０は、パック１０の分離、および個々のパック１０を開くことの両方を容易にするように穿孔され得る。たとえば、ミシン目は、パック１０の上縁から内側に延在することができる。ミシン目は、シールが開かれ得るように、上縁シール、頂部横シール、および底部横シールのうちの少なくとも１つを横切ることができる。それによって、内部パッケージへのアクセスが可能にされる。
【０１０６】
物資へのおよび物資を集める人々への損傷のリスクを最小限にして、大勢の人々に容易に空中投下され分配され得る、物資のための費用対効果の高いパックを製造するための方法およびシステムが、それによって提供される。
【０１０７】
本発明の他の実施形態および使用は、本明細書の考察、本明細書において開示された本発明の実施から当業者に明らかであろう。すべての刊行物、米国および外国の特許ならびに特許出願を含む、本明細書において引用された参照文献はすべて、参照により具体的にかつ完全に組み込まれている。明細書および実施例は、次の特許請求の範囲によって示される本発明の真の範囲および趣旨に対して単に例示的なものとして考慮されることが意図される。そのうえ、用語「備える（ｃｏｍｐｒｉｓｉｎｇ）」は、用語「から成る（ｃｏｎｓｉｓｔｉｎｇ  ｏｆ）」および「から本質的に成る（ｃｏｎｓｉｓｔｉｎｇ  ｅｓｓｅｎｔｉａｌｌｙ  ｏｆ）」を含み、用語「備える」、「含む（ｉｎｃｌｕｄｉｎｇ）」、および「収容する（ｃｏｎｔａｉｎｉｎｇ）」は、限定的であることを意図するものではない。
【図１】
0006637958.tif 000003
【図２】
0006637958.tif 000004
【図３】
0006637958.tif 000005
【図４】
0006637958.tif 000006
【図５】
0006637958.tif 000007
【図６】
0006637958.tif 000008
【図７】
0006637958.tif 000009
【図８】
0006637958.tif 000010
【図９】
0006637958.tif 000011
【図１０】
0006637958.tif 000012
【図１１】
0006637958.tif 000013
【図１２】
0006637958.tif 000014
【図１３】
0006637958.tif 000015
【図１４】
0006637958.tif 000016
【図１５】
0006637958.tif 000017
【図１６】
0006637958.tif 000018
【図１７】
0006637958.tif 000019
【図１８】
0006637958.tif 000020
【図１９】
0006637958.tif 000021
【図２０】
0006637958.tif 000022
【図２１】
0006637958.tif 000023
【図２２】
0006637958.tif 000024
【図２３】
0006637958.tif 000025
【図２４】
0006637958.tif 000026
【図２５】
0006637958.tif 000027
【図２６】
0006637958.tif 000028
【図２７】
0006637958.tif 000029
【図２８】
0006637958.tif 000030
【図２９ａ】
0006637958.tif 000031
【図２９ｂ】
0006637958.tif 000032
【図３０ａ】
0006637958.tif 000033
【図３０ｂ】
0006637958.tif 000034
【図３０ｃ】
0006637958.tif 000035
【図３１ａ】
0006637958.tif 000036
【図３１ｂ】
0006637958.tif 000037
【図３１ｃ】
0006637958.tif 000038
【図３１ｄ】
0006637958.tif 000039
【図３２ａ】
0006637958.tif 000040
【図３２ｂ】
0006637958.tif 000041
【図３３】
0006637958.tif 000042
【図３４ａ】
0006637958.tif 000043
【図３４ｂ】
0006637958.tif 000044
【図３４ｃ】
0006637958.tif 000045
【図３５ａ】
0006637958.tif 000046
【図３５ｂ】
0006637958.tif 000047
【図３６ａ】
0006637958.tif 000048
【図３６ｂ】
0006637958.tif 000049
【図３７】
0006637958.tif 000050
【図３８】
0006637958.tif 000051
【図３９ａ】
0006637958.tif 000052
【図３９ｂ】
0006637958.tif 000053
【図３９ｃ】
0006637958.tif 000054
【図４０ａ】
0006637958.tif 000055
【図４０ｂ】
0006637958.tif 000056
【図４０ｃ】
0006637958.tif 000057
【図４１】
0006637958.tif 000058
【図４２】
0006637958.tif 000059
【図４３ａ】
0006637958.tif 000060
【図４３ｂ】
0006637958.tif 000061
【図４３ｃ】
0006637958.tif 000062
【図４３ｄ】
0006637958.tif 000063
【図４３ｅ】
0006637958.tif 000064
【図４３ｆ】
0006637958.tif 000065
【図４４ａ】
0006637958.tif 000066
【図４４ｂ】
0006637958.tif 000067
【図４５】
0006637958.tif 000068
【図４６】
0006637958.tif 000069
【図４７】
0006637958.tif 000070
【図４８ａ】
0006637958.tif 000071
【図４８ｂ】
0006637958.tif 000072
【図４８ｃ】
0006637958.tif 000073
【図４８ｄ】
0006637958.tif 000074
【図４９ａ】
0006637958.tif 000075
【図４９ｂ】
0006637958.tif 000076
【図５０ａ】
0006637958.tif 000077
【図５０ｂ】
0006637958.tif 000078
【図５０ｃ】
0006637958.tif 000079
【図５０ｄ】
0006637958.tif 000080
【図５０ｅ】
0006637958.tif 000081
【図５０ｆ】
0006637958.tif 000082